(57)【要約】【課題】コンテンツ中継サーバを経由したコンテンツ閲覧においても、利用者が、入力フィールドの履歴を元に入力を行う事ができるようにする事を目的とする。【解決手段】コンテンツ中継サーバ１１は、利用者携帯端末７からの要求信号により該当コンテンツ提供サーバからコンテンツ情報を取得し、利用者携帯端末７に送信する処理を行っている。この際、コンテンツ中継サーバ１１は、その履歴を随時蓄積している。コンテンツ中継サーバ１１は、取得したコンテンツ情報内に入力フィールドが含まれていれば、蓄積している履歴情報を参照し、過去に入力した該当入力フィールドの履歴を利用者携帯端末７に送信する。利用者携帯端末７より入力選択情報が送られてくると、その情報をコンテンツ中継サーバ１１が該コンテンツ情報の該当入力フィールドに挿入処理を行う。その後、利用者携帯端末７より送信指示を行われると、コンテンツ中継サーバ１１は、コンテンツ提供サーバへ挿入処理を行ったコンテンツ情報を送信する。【選択図】　図１
2004086562.tif 000002
【特許請求の範囲】
【請求項１】
サーバと端末との中継処理を行う際の履歴情報を蓄積する履歴記憶手段と、ネットワークから通信手段とを有し、ネットワーク経由でサーバからコンテンツ情報を取得し端末装置へ中継するコンテンツ中継装置が行うコンテンツ中継方法であって、
前記コンテンツ中継装置が、
端末より利用者識別情報を取得する利用者情報取得ステップと、
サーバからコンテンツ情報を取得するコンテンツ情報取得ステップと、
サーバと端末との中継処理を行う際に、その履歴情報を前記利用者情報取得ステップにより取得した利用者識別情報に関連させて前記履歴記憶手段に蓄積する履歴蓄積ステップと、
前記コンテンツ情報取得ステップによりサーバから取得したコンテンツ情報に入力を示唆する情報が含まれていた場合、前記利用者取得情報取得ステップによって取得された利用者識別情報と該コンテンツ情報に関する情報を基に前記履歴記憶手段に記憶されている入力履歴情報を抽出する抽出ステップと、
前記抽出ステップによって抽出された入力履歴情報を端末へ送信する送信ステップと、
を実行する事を特徴とするコンテンツ中継方法。
【請求項２】
前記送信ステップでは、抽出ステップによって抽出された入力履歴情報とコンテンツ情報とを同一画面上に表示させるコンテンツ情報として作成し端末へ送信する事を特徴とする請求項１記載のコンテンツ中継方法。
【請求項３】
サーバと端末との中継処理を行う際の履歴情報を蓄積する履歴記憶手段と、ネットワークから通信手段とを有し、ネットワーク経由でサーバからコンテンツ情報を取得し端末装置へ中継するコンテンツ中継装置が行うコンテンツ中継方法であって、
端末より利用者識別情報を取得する利用者情報取得ステップと、
サーバからコンテンツ情報を取得するコンテンツ情報取得ステップと、
サーバと端末との中継処理を行う際に、その履歴情報を前記利用者情報取得ステップにより取得した利用者識別情報に関連させて前記履歴記憶手段に蓄積する履歴蓄積ステップと、
前記コンテンツ取得ステップにより取得されたコンテンツ情報を端末へ送信する送信ステップと、
前記送信ステップの処理の後に端末からのコンテンツ情報の送信要求があると、前記利用者取得情報取得ステップによって取得された利用者識別情報と該コンテンツ情報に関する情報を基に前記履歴記憶手段に記憶されているコンテンツ情報を抽出する抽出ステップと、
前記抽出ステップで抽出されたコンテンツ情報をメール送信するメール送信ステップと、
を実行する事を特徴とするコンテンツ中継方法。
【請求項４】
ネットワークと通信を行うための機能を備え、ネットワーク経由でサーバより取得したコンテンツ情報を端末装置に中継するコンテンツ中継装置であって、
端末より利用者識別情報を取得する利用者情報取得手段と、
サーバからコンテンツ情報を取得するコンテンツ情報取得手段と、
サーバと端末との中継処理を行う際の履歴情報を蓄積する履歴記憶手段と、
サーバと端末との中継処理を行う際に、その履歴情報を前記利用者情報取得手段が取得した利用者識別情報に関連させて前記履歴記憶手段に蓄積する履歴蓄積制御手段と、
前記コンテンツ情報取得手段がサーバから取得したコンテンツ情報に入力を示唆する情報が含まれていた場合、前記利用者取得情報取得手段によって取得された利用者識別情報と該コンテンツ情報に関する情報を基に前記履歴記憶手段に記憶されている入力履歴情報を抽出する抽出手段と、
前記抽出手段によって抽出された入力履歴情報を端末へ送信する送信手段と、
を備えた事を特徴とするコンテンツ中継装置。
【請求項５】
通信機能を備えたコンピュータを、
端末より利用者識別情報を取得する利用者情報取得手段と、
サーバからコンテンツ情報を取得するコンテンツ情報取得手段と、
サーバと端末との中継処理を行う際の履歴情報を蓄積する履歴記憶手段と、
サーバと端末との中継処理を行う際に、その履歴情報を前記利用者情報取得手段が取得した利用者識別情報に関連させて前記履歴記憶手段に蓄積する履歴蓄積制御手段と、
前記コンテンツ情報取得手段がサーバから取得したコンテンツ情報に入力を示唆する情報が含まれていた場合、前記利用者取得情報取得手段によって取得された利用者識別情報と該コンテンツ情報に関する情報を基に前記履歴記憶手段に記憶されている入力履歴情報を抽出する抽出手段と、
前記抽出手段によって抽出された入力履歴情報を端末へ送信する送信手段と、
して機能させるためのコンテンツ中継プログラム。
【発明の詳細な説明】
【０００１】
【発明が属する技術分野】
本発明は、ＨＴＭＬなどのマークアップ言語で記述されたコンテンツ情報をユーザー端末へ中継するための技術に関する。
【０００２】
【従来の技術】
近年、携帯型のインターネット接続端末が登場している。この様なインターネット端末は、一般にコンテンツ情報として提供されるＨＴＭＬ（Ｈｙｐｅｒ　Ｔｅｘｔ　Ｍａｒｋｕｐ　Ｌａｎｇｕａｇｅ）の機能を一部制限もしくは異なる言語を使用してインターネットに接続されている事が多い。また、携帯型のインターネット端末で使用される言語は複数有り、あるインターネット端末で閲覧できたコンテンツも他のインターネット端末では閲覧できないと言う状況もあり、使いづらいことが多かった。
【０００３】
この状況に鑑み、本願の出願人は、特願２００１−２０２４０４号に示されるように、言語変換を行う中継サーバを設置し、インターネット端末を該中継サーバ経由でコンテンツサーバへ接続させる方式を特許出願している。
【０００４】
【発明が解決しようとする課題】
インターネット端末装置には、通常、Ｃｏｏｋｉｅ等と呼ばれる入力履歴情報や閲覧履歴情報を蓄積する機能が搭載されている。しかしながら、特願２００１−２０２４０４号の発明の様に中継サーバを用いるものを経由した場合、直接コンテンツ提供サーバに接続されるわけではなく、中継サーバが変換した情報を閲覧する事になるため、中継サーバに接続した情報しかＣｏｏｋｉｅに残らない事になる。このため、以前、同じコンテンツで接続を行った入力を活用した再入力や、実際に閲覧を行ったコンテンツの履歴情報を取得する事ができなかった。
また、携帯型のインターネット端末では、その容量制限からＣｏｏｋｉｅを活用する事ができないものが多い。この様なインターネット端末では、入力項目や過去閲覧したコンテンツでもその入力項目やアドレスを毎回入力しなおさなければならなかった。
本発明は、上記従来の課題に鑑みたものであり、中継サーバを経由したコンテンツ閲覧でも、過去の閲覧履歴や過去の入力履歴を活用した再入力が可能となる技術を提供する事を目的とする。
【０００５】
【課題を解決するための手段】
本発明は、上記従来の課題を解決するために、中継サーバは、端末より利用者識別情報を取得し、サーバと端末との中継処理を行う際に、その履歴情報を、取得した利用者識別情報に関連させて履歴情報として蓄積しておき、サーバから取得したコンテンツ情報に入力を示唆する情報が含まれていた場合、該利用者識別情報と取得したコンテンツ情報に関する情報を基に蓄積していた履歴情報から入力履歴情報を抽出し、端末へ送信する送信するようにしたものである。
この構成により端末がリクエストした過去の情報は中継サーバに蓄積され、この情報を基に過去の入力履歴を使った処理が行われるようになる。
【０００６】
【発明の実施の形態】
以下、本発明における一実施の形態について説明する。
図１は、本発明のコンテンツ中継サーバを利用した、コンテンツシステムのシステム概要図である。
図１において、１はインターネット通信網、２，３，４は、それぞれ、インターネット通信網１経由でコンテンツ情報を提供するコンテンツ提供サーバである。これらのサーバは便宜上、以下、コンテンツ提供サーバＡ２、コンテンツサーバＢ３、コンテンツサーバＣ４とする。
５は、利用者が使用する利用者端末で、電話線や専用回線を使いプロバイダ６と接続されており、このプロバイダ６を経由してインターネット通信網１へ接続されている。以下、この利用者端末５がインターネット通信網上にあるサーバなどとの通信を行う場合には、プロバイダ６及びインターネット通信網１を経由して対象となるサーバへ接続を行っているものとする。
７は、利用者が使用するインターネット接続機能付き携帯電話や、無線通信機能付ＰＤＡ（Ｐｅｒｓｏｎａｌ　Ｄｉｇｉｔａｌ　Ａｓｓｉｓｔａｎｔｓ／携帯情報端末）等の無線式の利用者携帯端末であり、無線中継局８を介して無線通信網９に接続されている。また、無線通信網９は、ＰＯＩ（Ｐｏｉｎｔ　Ｏｆ　Ｉｎｔｅｒｆａｃｅ／相互接続点）１０を経由してインターネット網と接続されており、利用者携帯端末７がインターネット通信網上にあるサーバなどとの通信を行う場合には、無線中継局８−無線通信網９−ＰＯＩ１０−インターネット通信網１を経由して対象となるサーバへ接続を行う事になる。以下、利用者携帯端末７が各種サーバとの通信を行う場合には、特に記載が無い場合、無線中継局８−無線通信網９−ＰＯＩ１０−インターネット通信網１を経由して行われるものとする。
１１はコンテンツ提供サーバコンテンツ提供サーバＡ２／コンテンツサーバＢ３／コンテンツサーバＣ４と、利用者端末５もしくは利用者携帯端末７との通信の中継を行うコンテンツ情報をコンテンツ中継サーバであり、中継時にコンテンツ言語の変換や、入力／閲覧履歴の蓄積などを行う。
１２はコンテンツ中継サーバ１１の管理者がコンテンツ中継サーバ１１の管理を行うためのサーバ管理端末であり、本実施の形態の場合、コンテンツ中継サーバ１１とは直接接続されているが、インターネット通信網１や専用の通信回線等を経由して接続されていても良い。
次に、図１に示された利用者端末５、利用者携帯端末７、コンテンツ中継サーバ１１の構成要素について説明する。
まず、利用者端末５について図２の構成図を用い説明する。
図２において、５０１はプロバイダとの通信を行うプロバイダ通信手段、５０２はキーボード５０３などを通じて利用者が指示したコンテンツ情報を、インターネット通信網１に接続されている各種サーバから取得し、ディスプレイ５０４に表示させるインターネット閲覧手段である。このインターネット閲覧手段５０２はプロバイダ通信手段を制御してプロバイダ６との接続を行い、図１の説明で説明したように、該プロバイダを経由してインターネット通信網１と接続し、インターネット通信網１に接続されている目的のサーバと通信を行う事によって、所望のコンテンツ情報を取得する。また、このインターネット閲覧手段５０２による履歴情報は履歴記憶手段５０５に蓄積される。
５０６はメール管理手段であり、プロバイダ通信手段５０１を制御してプロバイダ６と接続し、プロバイダ６経由でインターネット通信網１と接続する事で、インターネット通信網１を活用したメールの送受信の制御を行う。また、個々で送受信されたメールの情報はメール蓄積手段５０７に蓄積される。
５０８はＣＤ−ＲＯＭやＤＶＤ−ＲＯＭなどの記録媒体５０９に記憶されている情報を読み出す媒体情報読み取り手段である。インターネット閲覧手段５０２やメール管理手段５０３は、利用者端末５をこれらの手段として動作させるプログラムとして提供される事が多い。このプログラムが記憶された記憶媒体５０９を媒体情報読み取り手段５０８で読み取り利用者端末５で実行可能な状態とする（インストール）事により、利用者端末５を、インターネット閲覧手段５０２やメール管理手段５０３として動作させる事とする事ができる。
次に利用者携帯端末７について図３を用いて説明する。
７０１は無線中継局８との通信を行う無線通信手段、７０２はキーボード７０３などを通じて利用者が指示したコンテンツ情報を、インターネット通信網１に接続されている各種サーバから取得し、表示手段７０４に表示させるインターネット閲覧手段である。このインターネット閲覧手段５０２は無線通信手段７０１を制御して、無線中継局８との接続を行い、該無線中継局８・無線通信網９・ＰＯＩ１０を経由してインターネット通信網１と接続し、インターネット通信網１に接続されている目的のサーバと通信を行う事によって、所望のコンテンツ情報を取得する。
７０５はメール管理手段であり、無線通信手段７０１を制御して無線中継局８との接続を行い、該無線中継局８・無線通信網９・ＰＯＩ１０を経由してインターネット通信網１と接続し、インターネット通信網１を活用したメールの送受信の制御を行う。また、個々で送受信されたメールの情報はメール蓄積手段７０６に蓄積される。
最後にコンテンツ中継サーバ１１について図４を用いて説明する。
コンテンツ中継サーバ１１の構成は図４に示す構成の様になっている。まず、１１０１はインターネット通信網１と通信を行う通信制御手段、１１０２は利用者携帯端末７や利用者端末５などと通信を行い利用者の登録情報を利用者ＤＢ１１０３に蓄積する利用者登録手段、１１０４は通信相手の利用者端末５や利用者携帯端末７の端末種別を判定する利用者端末種別確認手段で端末種別ＤＢ１１０５の情報を用いて判定する。１１０６は利用者ＤＢ１１０３に登録された利用者ＩＤ毎のコンテンツ閲覧履歴や入力履歴等を蓄積する履歴ＤＢで、各履歴者ＩＤ毎の履歴フォルダ（利用者ＩＤ・ＡＡＡＡＡ用履歴フォルダ１１０７、利用者ＩＤ・ＢＢＢＢＢ用履歴フォルダ１１０８、利用者ＩＤ・ＣＣＣＣＣ用履歴フォルダ１１０９、利用者ＩＤ・ＤＤＤＤＤ用履歴フォルダ１１１０）単位で蓄積している。１１１１は各種サーバと利用者端末５や利用者携帯端末７との中継処理を行うコンテンツ中継手段であり、利用者のコンテンツ閲覧履歴や入力履歴等を蓄積する履歴を履歴ＤＢ１１０６に蓄積する履歴蓄積制御手段１１１２、１１１３は変換ルールＤＢ１１１４に蓄積されているルール情報を用いてコンテンツ情報の言語変換を行うコンテンツ変換手段、１１１５はコンテンツ情報から送られてきたコンテンツ情報に入力フィールドが含まれていた場合、履歴ＤＢ１１０６に蓄積されている情報を活用して入力支援を行う入力支援手段、１１１６はコンテンツ情報を指定された宛先に添付ファイル付きメールとして送信するメール送信手段、１１１７は利用者端末５、利用者携帯端末７から送られてくるＩＤ、パスワードによってその認証が許可されたものを蓄積する認証許可ＩＤ−ＤＢとからなる。また、１１１８はコンテンツ中継サーバ１１ないの各構成要素が一時的な記憶に利用する一時記憶手段、１１１９は各種画面情報を記憶した画面情報記憶手段である。
以上のように構成されたコンテンツシステムの動作について以下説明を行う。
（利用者ＩＤ登録処理）
まず、利用者をコンテンツ中継サーバに登録させる手順について図５、図６のフローチャートを用いて説明する。
本実施の形態では、利用者は利用者携帯端末７を用いて登録を行うものとする。なお、登録は利用者携帯端末７ばかりでなく利用者端末５・サーバ管理端末１２でも同様の手順をもって行う事が可能である。
また、以下の説明では利用者携帯端末７とコンテンツ中継サーバ１１が直接通信を行う記載となっているが、上記してきたように、無線通信手段７０１を制御して、無線中継局８との接続を行い、該無線中継局８・無線通信網９・ＰＯＩ１０・インターネット通信網１を経由して相互の通信を行っている。
まず、利用者は利用者携帯端末７のキーボード７０３よりコンテンツ中継サーバ１１の利用者登録画面の表示要求を行う（Ｓ１０１）。この入力を受けたインターネット閲覧手段７０２は、コンテンツ中継サーバ１１に対し登録画面の表示要求情報を送信する（Ｓ１０２）。
この情報は、コンテンツ中継サーバ１１の通信制御手段１１０１を経由して受けた利用者登録手段１１０２が受信する（Ｓ１０３）と、利用者登録手段１１０２は、画面情報蓄積手段１１１９に記憶されている登録画面情報を抽出し（Ｓ１０４）、該情報を利用者携帯端末７へ送信する（Ｓ１０５）。
この登録画面情報を無線通信手段７０１経由で受信した利用者携帯端末７のインターネット閲覧手段７０２は（Ｓ１０６）、表示手段７０４に該情報を基に図７の画面７１に示されるように、ユーザーＩＤ、パスワード、メールアドレスの入力要求及び各項目における入力枠７２を表示する（Ｓ１０７）。
ここで、利用者がキーボード７０３などを利用して各項目の入力操作を行うと、インターネット閲覧手段７０２は、表示手段７０４に図７の画面７３に示されるように各入力枠に対する表示を行う（Ｓ１０８）。
この状態において、利用者がキーボード７０３などを利用して送信操作を行うと、インターネット閲覧手段７０２は、無線通信手段７０１を制御して入力された各項目の情報を利用者登録情報としてコンテンツ中継サーバ１１へ送信する（Ｓ１０９）。
この利用者登録情報を通信制御手段１１０１経由で受け取った利用者登録手段１１０２は（Ｓ１１０）、入力された情報に誤り（使用してはいけない文字が入力されている。利用者ＤＢ１１０３に既に登録されている等）がないかをチェックし（Ｓ１１１）、誤りがなければ（Ｓ１１２）、該利用者登録情報を利用者ＤＢ１１０３に記憶させる。この登録情報は図８の利用者登録テーブル８１に示されるように利用者ＩＤ・パスワード・メールアドレスを関連付けて記憶させている（Ｓ１１３）。今回の場合、図７の画面７３に示されたように、利用者は「ユーザーＩＤ：ＡＡＡＡＡ」「パスワード：ｇｈｇｈａｊ」「メールアドレス：ａａａａａ＠ｍａｉｌ．ｎｅ．ｊｐ」の様に入力したため、この利用者登録情報は、利用者登録テーブル８１の項目８２のように登録されることになる。なお、利用者登録テーブル８１の他の項目も、同様の登録手順によって、利用者端末５、利用者携帯端末７、サーバ管理端末１２のいずれかから送られてきた利用者登録情報を利用者登録手段１１０２が登録したものである。またこの際、利用者登録手段１１０２は、履歴ＤＢ１１０６に利用者ＩＤ・ＡＡＡＡＡ用の履歴フォルダ１１０７を作成する（Ｓ１１４）。
これらの処理が完了すると、利用者登録手段１１０２は、画面情報蓄積手段１１１９から登録を完了した事を示す画面情報を抽出し、通信制御手段１１０１を制御して利用者携帯端末７へ該情報を送信する（Ｓ１１５）。
この情報をプロバイダ通信手段７０１経由で受信した利用者インターネット閲覧手段７０２は（Ｓ１１６）、表示手段７０４に該情報を基に図９の画面９１に示されるような利用者の登録が完了したことを示す表示を行い（Ｓ１１７）処理を完了する。
また、Ｓ１１２において利用者登録手段１１０２が誤り有りと判定した場合は、図６に示されるフローチャートの手順で処理が行われる。即ち、コンテンツ中継サーバ１１の利用者登録手段１１０２は、画面情報蓄積手段１１１９からエラー画面情報を抽出し（Ｓ１１８）、該情報を利用者携帯端末７へ送信する（Ｓ１１９）。この情報を無線通信手段７０１経由で受信した利用者携帯端末７のインターネット閲覧手段７０２は（Ｓ１２０）、このエラー画面情報に基づき図９の画面９２に示されるような入力エラーの通知及び再入力を促す表示を、表示手段７０４に行う（Ｓ１２１）。
ここで、利用者が、キーボード７０４などを操作して、再入力を行うか否かを選択する（Ｓ１２２）。この入力で再入力を行う選択されていた場合、インターネット閲覧手段７０２は、再入力処理を行うべく、図５のフローチャートのＳ１０７の処理へ移行し再び入力に関する処理を行う（Ｓ１２３）。また、Ｓ１２３において再入力処理を行わない選択がなされていないと判定された場合は、該登録処理を終了する（Ｓ１２４）。
以上のようにしてコンテンツ中継サーバ１１に利用者ＩＤ情報が登録されると共に、その利用者ＩＤの履歴情報を蓄積するフォルダが用意される事となる。
（コンテンツ中継処理）
この様にして利用者ＩＤが蓄積されているコンテンツ中継サーバ１１を経由した、利用者携帯端末７とコンテンツ提供サーバＡ２との通信処理について図１０、図１２、図１５、図１６、図２０、図２３のフローチャートを用いて以下、説明を行う。なお、本実施の形態で利用者携帯端末７とコンテンツ提供サーバＡ２との通信処理を説明するが、他のコンテンツ提供サーバであるコンテンツ提供サーバＢ３、コンテンツ提供サーバＣ４などのサーバとの通信、及び利用者端末５がコンテンツ中継サーバ１１を経由して各コンテンツ提供サーバとの通信も同様の手順で行われる。また、利用者携帯端末７とコンテンツ中継サーバ１１との通信は、特に明記しない限り、該無線中継局８・無線通信網９・ＰＯＩ１０・インターネット通信網１を経由して相互の通信を行っているものとする。更に、コンテンツ中継サーバ１１とコンテンツ提供サーバＡ２との通信は特に記載が無い場合、インターネット通信網１を経由して行われるものとする。
まず、利用者が利用者携帯端末７のキーボード７０３を利用してコンテンツ中継サーバ１１へのアクセスを指示すると、コンテンツ閲覧手段７０２は、コンテンツ中継サーバ１１にアクセス要求情報を送信する（Ｓ２０１）。
この情報を通信制御手段１１０１経由で受信したコンテンツ中継サーバ１１のコンテンツ中継手段１１１１は画面情報蓄積手段１１１９から認証画面情報を抽出し（Ｓ２０２）、該情報を利用者携帯端末７へ送信する（Ｓ２０３）。
【０００７】
この認証画面情報を無線通信手段７０１経由で受信した利用者携帯端末７のインターネット閲覧手段７０２は（Ｓ２０４）、該情報に基づき図１１の画面９３に示されるように利用者にＩＤ・パスワードの入力を促すメッセージ９４とＩＤ・パスワードの入力枠９５を表示手段７０４に表示させる（Ｓ２０５）。
【０００８】
ここで、利用者がキーボード７０３を利用して該入力枠９５に対応するＩＤ・パスワードを入力すると（Ｓ２０６）、インターネット閲覧手段７０２は、無線通信手段７０１を制御してコンテンツ中継サーバ１１へ該ＩＤ／パスワード情報を送信する（Ｓ２０７）。
【０００９】
この情報を通信制御手段１１０１経由で受信したコンテンツ中継手段１１１１は（Ｓ２０８）、受信した利用者該ＩＤ／パスワード情報と利用者ＤＢ１１０３に蓄積されている利用者登録情報との照合を行う事で認証を行う（Ｓ２０９）。コンテンツ中継手段１１１１は、認証許可を行ったものに対して（Ｓ２１０）、該利用者ＩＤは、認証許可ＩＤ−ＤＢ１１１７へ登録を行う（Ｓ２１１）。即ち、認証許可ＩＤ−ＤＢ１１１７に記憶されている情報は、利用者ＤＢ１１０３に記憶されている利用者の利用者ＩＤのうち、現在コンテンツ中継サーバ１１に接続している利用者の利用者ＩＤが登録される事になる。
【００１０】
そして、コンテンツ中継手段１１１１は、画面情報蓄積手段１１１９より認証許可画面情報を抽出し（Ｓ２１２）、通信制御手段１１０１を制御して利用者携帯端末７へ該情報を送信する（Ｓ２１３）。
【００１１】
この認証許可情報を、無線通信手段７０１を介して受信したインターネット閲覧手段７０２は（Ｓ２１４）、該情報に基づき認証許可を行った旨を通知する画面を表示手段７０４に表示する（Ｓ２１５）。この際、図１１の画面９６に示されるように、リクエストを行いたいコンテンツ情報の選択、または、ＵＲＬの入力を促す画面を表示させるようにする。この処理後、Ｓ２２６以降の実質的な中継処理が開始される事になる。
【００１２】
なお、Ｓ２１０においてコンテンツ中継手段１１１１が認証を許可できなかった場合、コンテンツ中継手段１１１１は、画面情報蓄積手段１１１９より認証を失敗した事を示す認証失敗画面情報を抽出し（図１２のフローチャートのＳ２１６）、通信制御手段１１０１を制御して該情報を利用者携帯端末７へ送信する（Ｓ２１７）。
【００１３】
この情報を、無線通信手段７０１を介して受信した利用者携帯端末７のインターネット閲覧手段７０２は（Ｓ２１８）、該情報を基に図１３に示されるような認証を失敗した事を示す画面９５を表示手段７０４に表示させる（Ｓ２１９）。
【００１４】
この画面には、該画面に再入力の可否判定を示す情報９８も表示されており、ここで、利用者がキーボード７０３を使用して再入力の可否についての入力を行うと（Ｓ２２０）、インターネット閲覧手段７０２は、その入力を判定し（Ｓ２２１）、再入力を行う事を示す入力であれば、無線通信手段７０１を制御して再び認証情報情報を送信する（Ｓ２２２）。以降は、図１０に示されるフローチャートのＳ２０２の処理へ移行することになる。
【００１５】
また、再入力を拒否すると、図１０に示されるフローチャートのＳ２２６の処理へ移行する。即ち認証が行わないままコンテンツ中継サーバ１１経由の通信を行う場合は、認証許可ＩＤ−ＤＢ１１１７への登録が行われないまま、実質的な中継処理が行なわれる事となる。
【００１６】
Ｓ２１５の処理の後、もしくはＳ２２１で再入力を拒否した後、利用者が利用者携帯端末７のキーボード７０３を利用して、コンテンツのリクエスト情報を入力すると（Ｓ２２６）、インターネット閲覧手段７０２は、無線通信手段７０１を制御してコンテンツ中継サーバ１１に対し、該リクエスト情報を送信する（Ｓ２２７）。ここで送信される情報は、本実施の形態の場合、図１４のリクエスト情報９９に示されるように、コンテンツ中継サーバのアドレスとなるＵＲＬ１００の後ろにコンテンツ提供サーバのアドレスとなるＵＲＬ１０１を記載した情報である。
この情報を、通信制御手段１１０１を経由して受信したコンテンツ中継サーバ１１のコンテンツ中継手段１１１１は（Ｓ２２８）、送られてきた情報を解析して、コンテンツ提供サーバのＵＲＬ１０１を抽出し（図１５・Ｓ２２９）、通信制御手段１１０１を使って、この抽出したＵＲＬ１０１のアドレスへリクエスト情報を送信する（Ｓ２３０）。
このリクエスト情報を受信したコンテンツ提供サーバＡ２は（Ｓ２３１）、このリクエスト情報に対応したコンテンツ情報をコンテンツ中継サーバ１１へ送信する（Ｓ２３２）。
該コンテンツ情報を通信制御手段１１０１経由で受信したコンテンツ中継手段１１１１は（Ｓ２３３）、一時記憶手段１１１８に該情報を記憶すると共にコンテンツ変換手段１１１３を起動する。このコンテンツ変換手段１１１３は、一時記憶手段１１１７に記憶されたコンテンツ情報を、端末種別ＤＢ１１０５を参照してリクエストを行った利用者携帯端末７が使用する言語に変換し一時記憶手段１１１７に記憶しなおす（Ｓ２３４）。この変換手順は、本特許出願の出願人が先に出願した特願２００１−２０２４０４号に記載の内容とほぼ同様のものであり、その説明は省略する。
次にコンテンツ中継手段１１１１は、このリクエストを行った利用者携帯端末７の利用者ＩＤが認証されているのか、即ち、利用者ＩＤが認証許可ＩＤ−ＤＢ１１１７に記憶されているかを確認する（Ｓ２３５）。
ここで、認証されていないと判定されれば図１６に示されるフローチャートのＳ３０１以降のログ記録処理や入力履歴処理を伴わない中継処理のみをおこなう。なお、図１６のフローチャートについては後述する。
Ｓ２３５において認証許可ＩＤ−ＤＢ１１１７に利用者ＩＤが記憶されていた、即ち認証が取れていると判定された場合、コンテンツ中継手段１１１１は履歴蓄積制御手段１１１２を起動し、履歴ＤＢ１１０６の利用者ＩＤのフォルダに、実際アクセスしたコンテンツ情報をそのアクセスした時刻と共に履歴情報として記憶させる（Ｓ２３６）。
本実施の形態では、利用者携帯端末７が利用者ＩＤ・ＡＡＡＡＡによって認証されている、即ち認証許可ＩＤ−ＤＢ１１１７に利用者ＩＤ・ＡＡＡＡＡが登録されている場合について述べる。すなわち記憶させるフォルダは履歴ＤＢ１１０６内の利用者ＩＤ・ＡＡＡＡＡ履歴フォルダ１１０７となる。
そしてコンテンツ中継手段１１１１は、一時記憶手段１１１８に記憶されているコンテンツ情報に入力フィールド、即ち、利用者が入力を行うべき入力枠の情報が含まれているかをチェックする（Ｓ２３７）。
ここで、コンテンツ中継手段１１１１が、入力フィールドは含まれていないと判定すれば、図１６に示されるフローチャートのＳ３０１以降の処理を行う。その処理は以下のとおりである。
まず、コンテンツ中継手段１１１１は、通信制御手段１１０１を制御して、コンテンツ中継サーバ一時記憶手段１１１８に記憶されているコンテンツ変換されたコンテンツ情報を利用者携帯端末７へ送信する（Ｓ３０１）。この情報を、無線通信手段７０１を経由して受信したインターネット閲覧手段７０２は（Ｓ３０２）、該情報に基づきコンテンツ情報を表示手段７０４に表示させ（Ｓ３０３）、図１０に示されるフローチャートのＳ２２６に示される処理へ戻る。即ち、利用者からの次のリクエストを受け付ける処理へ移行する。
また、図１５のＳ２３７の処理において、入力フィールド有りと判定された場合、コンテンツ中継手段１１１１は、入力支援手段１１１５を起動する。
入力支援手段１１１５は、入力支援画面を作成する（Ｓ２３８）。具体的には以下の手順によって行われる。なお、この手順の説明では、コンテンツ提供サーバＡ２のｗｗｗ．ａｂｃｄ．ｉｎｄｅｘ１というアドレスを指定して、コンテンツ提供サーバＡ２より図１８の画面１８０２に示される、希望商品と希望金額を入力する入力フィールドを持ったコンテンツ情報を取得していたとする。
この状態で、履歴ＤＢ１１０６の利用者ＩＤ・ＡＡＡＡＡ履歴フォルダ１１０７を参照する。
このフォルダ１１０７での入力フィールドに記憶されている記憶内容について図１７のフォルダテーブル１７０１を用いて説明する。該テーブルには図１７に示されるように、対象となるコンテンツ情報のアドレスであるＵＲＬ、入力項目及び該入力項目で入力された情報、該項目が認証項目か否かの識別子を関連させて記憶している。また、その情報の入力が何回行われたのかを示す項目も関連させて記憶されている。これは、過去同一アドレスの同一項目に複数種類の入力があった場合、それぞれの項目に何回の入力がおこなわれたかを識別するために設けられた識別子である。
この図１７のフォルダテーブル１７０１に示されるように該当ＵＲＬの該当入力項目（検索項目名・機能金額）に過去入力された履歴情報が蓄積されている事がわかる。この様な状態の場合、図１９の画面１８０４に示されるように、入力項目の横に入力支援マーク１８０５、１８０６を付加した情報を作成する。
その後、入力支援手段１１１５は、この様にして作成されたコンテンツ情報を、再び一時記憶手段１１１７に記憶させる。
そして、入力支援手段１１１５は、通信制御手段１１０１を制御して一時記憶手段１１１８に記憶されているＳ２４０の処理で作成したコンテンツ情報を利用者携帯端末７に送信する（図２０・Ｓ２４１）。
この情報を無線通信手段７０１経由で受信した利用者携帯端末７のコンテンツ閲覧手段７０２は（Ｓ２４２）、該コンテンツ情報を表示手段７０４に表示する（Ｓ２４３）。即ち、表示される画面は、図１９の画面１８０４に示されるようにコンテンツ提供サーバＡ２から送られてきたコンテンツ情報に入力支援マーク１８０５、１８０６が付加された情報が表示される事になる。
ここで利用者が、キーボード７０３を用いて何らかの入力操作を行うと（Ｓ２４４）、インターネット閲覧手段７０２は、該入力が入力支援マーク１８０５もしくは１８０６のいずれかを選択したのかを確認する（Ｓ２４５）。ここで入力支援マークが選択されたと判定した場合、インターネット閲覧手段７０２は、無線通信手段７０１を制御して、どの入力支援マークを選択したのかを示す情報（入力支援マーク選択情報）をコンテンツ中継サーバ１１へ送信する（Ｓ２４６）。本実施の形態の場合入力支援マーク１８０５が選択されたものとし、この情報がコンテンツ中継サーバ１１へ送信されたものとする。
この情報を通信制御手段１１０１経由で受信したコンテンツ中継サーバ１１の入力支援手段１１１５は（Ｓ２４７）、履歴ＤＢ１１０６の利用者ＩＤ・ＡＡＡＡＡ履歴フォルダ１１０７より該当コンテンツ情報に対する入力履歴情報を抽出する（Ｓ２４８）。本実施の形態の場合、入力支援マーク１８０５・即ち、希望商品の入力フィールドに対応した入力支援マークが選択されているので、該当ＵＲＬ（ｗｗｗ．ａｂｃｄ．ｉｎｄｅｘ２）の入力項目名が「検索項目名」に対応する入力履歴である、「ノートパソコン」「ＣＤ−ＲＯＭ」「スキャナ」「ＤＶＤソフト」の入力履歴情報が抽出される。
ここで、入力支援手段１１１５は、過去の入力履歴を利用者に選択してもらうための「入力候補選択画面情報」を作成する。この作成手順は履歴ＤＢ１１０６の該当フォルダより抽出した入力履歴情報を同じく該当フォルダに記憶されている過去の入力回数情報に基づき、過去、入力回数の多かった順に並べ、その情報を表示した画面を作成する事によって行われる。上記下例の場合、利用者ＩＤ・ＡＡＡＡＡ履歴フォルダ１１０６に蓄積されている各入力履歴情報に対応する入力回数情報を参照すると、
・「ノートパソコン」入力回数：１０回
・「ＣＤ−ＲＯＭ」　入力回数：　５回
・「スキャナ」　　　入力回数：２０回
・「ＤＶＤソフト」　入力回数：　１回
と、なっているので、
「スキャナ」「ノートパソコン」「ＣＤ−ＲＯＭ」「ＤＶＤソフト」
の順に並べ、図２１の画面１８０７に示されるように、基の画面に過去の入力項目が上記並べた順に表示される画面を作成する（Ｓ２４９）。
【００１７】
なお、利用者携帯端末７の場合、表示画面が小さい事が多く図２１の画面１８０７のように他の画面と重ね合わせた画面だと見づらい場合もあるので、図２１の画面１８０８に示されるように過去の入力項目のみを表示させるようにしても良い。
【００１８】
入力支援手段１１１５は、この様にして作成された入力選択画面情報を、通信制御手段１１０１を制御して利用者携帯端末７に送信する（Ｓ２５０）。
【００１９】
この情報を、無線通信手段７０１を経由して受信した利用者携帯端末７のインターネット閲覧手段７０２は（Ｓ２５１）、該情報に基づき表示手段に表示を行う（Ｓ２５２）。即ち、図２１の画面１８０７もしくは画面１８０８が表示される事になる。
【００２０】
ここで利用者がキーボード７０３を利用して該入力候補の中からいずれかの入力候補を選択すると（Ｓ２５３）、インターネット閲覧手段７０２は無線通信手段７０１を制御して、この選択情報をインターネット中継サーバ１１へ送信する（Ｓ２５４）。ここでは、「ＣＤ−ＲＯＭ」が選択され、その情報がコンテンツ中継サーバ１１へ送信されたものとする。
この情報を通信制御手段１１０１経由で受信したコンテンツ中継サーバ１１の入力支援手段１１１５は（Ｓ２５５）、一時記憶手段１１１８より、コンテンツ提供サーバＡ２から取得しコンテンツ変換を行ったコンテンツ情報に、利用者携帯端末７より選択された情報を挿入したコンテンツ情報を作成する（Ｓ２５６）。ここでは「ＣＤ−ＲＯＭ」が選択されているので、図２２の画面１８０９に示されるコンテンツ情報が作成される。希望商品の入力フィールドに「ＣＤ−ＲＯＭ」を挿入した画面を作成し、Ｓ２４１の処理に戻る。この際、この入力フィールドに挿入された情報・即ち利用者携帯端末７から送られてきた選択情報は、一時記憶手段１１１８に記憶される。即ちこの作成されたコンテンツ情報は再び利用者携帯端末７に送信され、入力支援１１１５による入力が継続される事となる。また、Ｓ２４５にて入力支援マークが選択されていないと判定された場合は、入力支援手段１１１５による入力支援処理を行わない手順での入力が行われる。この場合は、図１９の画面１８０４の場合、各入力フィールドへの直接入力及び、入力フィールドに入力された情報をコンテンツ提供サーバＡ２へ送信する「送信」マークの選択・「クリア」マークの選択、他のアドレス（ＵＲＬ）のリクエストなどが想定される。
この様な場合、図２３に示されるフローチャートに従った処理が行われる。
まず、図２０のＳ２４４の処理によって入力された入力情報はインターネット閲覧手段７０２が無線通信手段７０１を制御する事によってコンテンツ中継サーバ１１へ送信される（Ｓ４０１）。この情報を通信制御手段１１０１経由で受信したコンテンツ中継サーバ１１のコンテンツ中継手段１１１１は（Ｓ４０２）、まず、この入力情報が「送信マークの選択」か判定する（Ｓ４０３）。ここで送信マークが選択されたと判定すると、コンテンツ中継手段１１１１は、コンテンツ変換手段１１１３を起動する。このコンテンツ変換手段１１１３は、変換ルールＤＢ１１１４を用い、一時記憶手段１１１８に記憶されてきた利用者からの入力フィールドに対する入力情報を・選択情報をコンテンツ提供サーバＡ２が使用する言語に変換する（Ｓ４０４）。コンテンツ中継手段１１１１は、この変換された入力情報を、通信制御手段１１０１を制御してコンテンツ提供サーバＡ２へ情報を送信する（Ｓ４０５）。この情報を受信したコンテンツサーバＡ２は（Ｓ４０６）、該入力情報の受付に応じたコンテンツ情報（入力を受け付けた事を示すコンテンツ情報）をコンテンツ中継サーバ１１へ返信する（Ｓ４０７）。この情報を、通信制御手段１１０１を介して受信したコンテンツ中継サーバ１１のコンテンツ中継手段１１１１は（Ｓ４０８）、コンテンツ変換手段１１１３を起動する。コンテンツ変換手段１１１３は、変換ルールＤＢ１１１４を参照してコンテンツ提供サーバＡ２から送られてきたコンテンツ情報を利用者携帯端末７が使用する言語情報に変換する（Ｓ４０９）。コンテンツ中継手段１１１１は通信制御手段１１０１を制御してこの変換されたコンテンツ情報を利用者携帯端末７へ送信する（Ｓ４１０）。このコンテンツ情報を、無線通信手段７０１を介して受信した利用者携帯端末７のインターネット閲覧手段７０２は（Ｓ４１１）、受信したコンテンツ情報を基に表示手段７０４に表示を行う（Ｓ４１２）。上記のように、この受信画面はコンテンツ提供サーバＡ２が入力を受け付けた事を示すコンテンツ情報を利用者携帯端末７が使用するコンテンツ言語に変換されたものであるので、例えば、図２４の画面１８１１の様に表示される。
このＳ４１２の処理の後、インターネット閲覧手段７０２は、次の利用者の操作に対応すべく、図１０に示されるフローチャートのＳ２２６の処理へ移行する。また、Ｓ４０３において送信入力でないと判定された場合、インターネット閲覧手段７０２は、他のアドレス（ＵＲＬ）のリクエストか否かを判定する（Ｓ４１３）。ここでリクエストであると判定すると、インターネット閲覧手段７０２は、図１０に示されるフローチャートのＳ２２７に処理に移行し、該リクエストに応じた処理に移行する。
また、Ｓ４１３において他のアドレス（ＵＲＬ）のリクエストでない、即ち「送信マーク」の選択でも他のアドレスのリクエストでもない場合は、コンテンツ中継手段１１１１は一時記憶手段１１１８に記憶されているコンテンツ情報に当該入力情報に応じた処理を行い（入力フィールドのクリア・入力された情報を該当入力フィールドに挿入するなど）、図２０のＳ２４１の処理に移行する。即ち現在表示中の入力フィールド入力に関する処理を継続する事となる。
以上のように、本実施の形態の中継処理では、コンテンツ中継サーバ１１に、利用者ＩＤ毎の履歴フォルダを用意し、このフォルダに各利用者ＩＤ毎の履歴を蓄積していくと共に、この蓄積情報を基にコンテンツ中継サーバが、利用者端末・利用者携帯端末等の入力フィールドに対する入力支援を行うようにしたため、直接コンテンツ提供サーバＡ２と通信を行っているコンテンツ中継サーバがコンテンツ提供サーバＡ２との通信履歴を管理する事となり、同じコンテンツで接続を行った入力を活用した再入力や、実際に閲覧を行ったコンテンツの履歴情報を取得する事が可能となる。
また、利用者が使用する端末では、Ｃｏｏｋｉｅ等の機能を持たなくとも、入力履歴や閲覧履歴を活用できるようになるので、携帯型のインターネット端末など、その容量制限からＣｏｏｋｉｅできないものにおいても、過去の閲覧履歴や過去の入力履歴を活用した再入力が可能となる技術を提供する事ができるようになる。
加えて、コンテンツ中継サーバは利用者ＩＤ毎に履歴を蓄積しているので、例えば、自宅の卓上端末と携帯型の端末の双方を活用している利用者は、コンテンツ中継サーバ経由でコンテンツ提供サーバへ接続を行う事で、卓上端末で閲覧・入力した履歴情報を、携帯型の端末で活用する事も可能である。
この様な場合、本実施の形態のようにコンテンツ中継サーバにコンテンツ情報を欠く端末に応じた言語変換処理を行う事ができるようにしておけば、利用者は端末の種別を気にする事無く、所望のコンテンツ提供サーバとの通信を行う事が可能であり、かつ、各端末で入力。閲覧した情報を共用化することも可能となる。（コンテンツコンテンツ情報送信処理）
上記のようにコンテンツ中継サーバ１１を利用したコンテンツ提供サーバへの接続の場合、利用者端末５、利用者携帯端末７に表示させたコンテンツ情報を再び表示させるのにも、各種通信網やコンテンツ中継サーバを経由して通信を行う事となる。無線通信を活用した利用者携帯端末７の場合、その通信網の利用料は、通信データ量（パケット量）や通信時間で規定されている事が多く、同じ情報を閲覧するだけでも利用者は再度利用料を支払わなければならない。また、同じ情報を見るたびにコンテンツ中継サーバ１１を経由するのであれば、コンテンツ中継サーバ１１の負荷が高くなってしまう。
この様な状況に対応するために、本実施の形態のコンテンツ中継サーバ１１は、閲覧したコンテンツ情報を利用者端末５、利用者携帯端末７のコンテンツ言語に変換した情報若しくはコンテンツ情報のアドレスを電子メールにて送信する機能を有している。
以下にその動作について図２５を用い説明する。なお、本説明も利用者が、利用者携帯端末７を使用しているものとする。また、コンテンツ中継手段１１１１は、コンテンツ情報を利用者携帯端末７へ送信するときに図２８の画面１８１２に示されるように基のコンテンツ情報に対し「コンテンツ情報送信」マークと、「コンテンツ情報蓄積」マークを付加したコンテンツ情報を作成して送信するようにする。これにより、利用者携帯端末７のインターネット閲覧手段７０２が表示手段７０４に、図２８の画面１８１２に示す画面の表示を行うことになる。
この状況において、利用者がキーボード７０３を用いていずれかの送信マークを選択すると（Ｓ６０１）、インターネット閲覧手段７０２は、選択した情報を送信要求選択情報としてインターネット中継サーバ１１へ送信する（Ｓ６０２）。この情報を、通信制御手段１１０１を経由して受信したコンテンツ中継サーバ１１のコンテンツ中継手段１１１１は（Ｓ６０３）、メール送信手段１１１６を起動する。メール送信手段１１１６は、認証許可ＩＤ−ＤＢ１１１７を参照して、該利用者携帯端末７が利用者ＩＤに認証された端末であるか確認する（Ｓ６０４）。ここで認証されていれば、利用者ＤＢ１１０３より利用者ＩＤに対応したメールアドレスを抽出する（Ｓ６０５）。利用者ＤＢ１１０３には、先に説明したように、図８のテーブル８１の様に情報が蓄積されているので、例えば、利用者ＩＤがＡＡＡＡＡにより認証が行われているとすると、その利用者ＩＤに対応した「ａａａａａ＠ｍａｉｌ．ｎｅ．ｊｐ」が抽出される事となる。
次に、メール送信手段１１１６は、送られてきた情報が「コンテンツ情報送信」マークを選択した情報か「コンテンツ情報蓄積」マークを選択した情報かを確認する（Ｓ６０６）。ここで、「コンテンツ情報蓄積」マークを選択した事を示す情報であった場合、コンテンツ情報を履歴ＤＢ１１１６に蓄積する（Ｓ６０７）。またＳ６０６にて「コンテンツ情報送信」マークを選択した情報と判定されると、メール送信手段１１１６は、図２６の画面２００１に示されるように、コンテンツ情報を送信する旨を明記したメールを作成すると共に（Ｓ６０８）、現在一時記憶手段１１１８に蓄積しているコンテンツ情報から、直前に利用者携帯端末７へ送信したコンテンツ情報を、Ｓ６０９で作成したメールに添付させる（Ｓ６０９）。この場合、利用者携帯端末の性能に応じてコンテンツ情報中のテキストのみを送信させたり画像を付加して送信させたりしても良い。また、コンテンツ情報そのままではなく、コンテンツ情報からテキスト部分と画像部分を抽出したものを送信しても良い。
メール送信手段１１１６は、通信制御手段１１０１を制御して、Ｓ６０５で抽出したメールアドレス宛て、この様にして作成したメールを送信する（Ｓ６１０）。この様にして送信されたメールは無線通信手段７０１を経由してメール管理手段７０５によって受信され（Ｓ６１１）、メール蓄積手段７０６に蓄積する（Ｓ６１２）。
「コンテンツ情報」マークを選択した場合は、利用者が同じ情報を再び閲覧したいときは、メール蓄積手段７０６に蓄積されたメールに添付されたコンテンツ情報を閲覧すればよく、各種通信網やコンテンツ中継サーバ１１を利用しなくとも利用者は所望の情報を閲覧する事が可能となる。このため、通信網の利用料を支払う必要が無く、コンテンツ中継サーバ１１の負荷は軽くなる。
また、「アドレス送信」マークを選択した場合は、メールに明記されているアドレスに対し再接続を行えば、利用者は同じコンテンツ提供サーバへの接続が可能となるために、アドレスをいちいち覚えておく必要が無くなる。
なお、Ｓ６０４で認証が行われていないと判定された場合は、図２７に示されるフローチャートのＳ６１３以降の処理を行う。
即ち、メール送信手段１１１６は、画面情報蓄積手段１１１９よりメール送信処理を拒否する画面情報を抽出し（Ｓ６１３）、通信制御手段１１０１を制御し、利用者携帯端末７へ該画面情報を送信する（Ｓ６１４）。該情報は、無線通信手段７０１を経由して受信した利用者携帯端末７のインターネット閲覧手段７０２は、この拒否を示す画面情報を表示手段７０４に表示させ、処理を完了する。
この様に認証が行われていない利用者携帯端末７に対しては、該メール送信処理を行わないようにすることで、認証ＩＤを有する利用者と認証ＩＤを持たない利用者とでの差別化を図る事ができるようになる。
また、利用者ＩＤを登録する際、該利用者端末５または利用者携帯端末７へのメールにファイル添付が可能かの情報も登録するようにし、コンテンツ情報の送信の処理に当たりこの情報を参照して該処理の可否を行うようにすれば、利用者が使用する端末の種類に応じたきめ細かいサービスを提供する事が可能となる。
（付記）
（付記１）　サーバと端末との中継処理を行う際の履歴情報を蓄積する履歴記憶手段と、ネットワークから通信手段とを有し、ネットワーク経由でサーバからコンテンツ情報を取得し端末装置へ中継するコンテンツ中継装置が行うコンテンツ中継方法であって、
前記コンテンツ中継装置が、
端末より利用者識別情報を取得する利用者情報取得ステップと、
サーバからコンテンツ情報を取得するコンテンツ情報取得ステップと、
サーバと端末との中継処理を行う際に、その履歴情報を前記利用者情報取得ステップにより取得した利用者識別情報に関連させて前記履歴記憶手段に蓄積する履歴蓄積ステップと、
前記コンテンツ情報取得ステップによりサーバから取得したコンテンツ情報に入力を示唆する情報が含まれていた場合、前記利用者取得情報取得ステップによって取得された利用者識別情報と該コンテンツ情報に関する情報を基に前記履歴記憶手段に記憶されている入力履歴情報を抽出する抽出ステップと、
前記抽出ステップによって抽出された入力履歴情報を端末へ送信する送信ステップと、
を実行する事を特徴とするコンテンツ中継方法。
【００２１】
（付記２）　前記送信ステップでは、前記抽出ステップによって抽出された入力履歴情報とコンテンツ情報とを同一画面上に表示させるコンテンツ情報を作成し端末へ送信する事を特徴とする付記１記載のコンテンツ中継方法。
【００２２】
（付記３）　前記コンテンツ中継装置は、言語変換ルール記憶手段を有しており、
前記送信ステップでは、前記抽出ステップによって抽出された入力履歴情報と前記言語変換ルール記憶手段を参照し該当端末が使用する言語に変換したコンテンツ情報とを同一画面上に表示させるコンテンツ情報を作成し端末へ送信する事を特徴とする付記２記載のコンテンツ中継方法。
（付記４）　サーバと端末との中継処理を行う際の履歴情報を蓄積する履歴記憶手段と、ネットワークから通信手段とを有し、ネットワーク経由でサーバからコンテンツ情報を取得し端末装置へ中継するコンテンツ中継装置が行うコンテンツ中継方法であって、
前記コンテンツ中継装置が、
端末より利用者識別情報を取得する利用者情報取得ステップと、
サーバからコンテンツ情報を取得するコンテンツ情報取得ステップと、
サーバと端末との中継処理を行う際に、その履歴情報を前記利用者情報取得ステップにより取得した利用者識別情報に関連させて前記履歴記憶手段に蓄積する履歴蓄積ステップと、
前記コンテンツ取得ステップにより取得されたコンテンツ情報を端末へ送信する送信ステップと、
前記送信ステップの処理の後に端末からのコンテンツ情報の送信要求があると、前記利用者取得情報取得ステップによって取得された利用者識別情報と該コンテンツ情報に関する情報を基に前記履歴記憶手段に記憶されているコンテンツ情報を抽出する抽出ステップと、
前記抽出ステップで抽出されたコンテンツ情報をメール送信するメール送信ステップと、
を実行する事を特徴とするコンテンツ中継方法。
【００２３】
（付記５）前記コンテンツ中継装置は、言語変換ルール記憶手段を有しており、
前記送信ステップでは、前記コンテンツ取得ステップにより取得されたコンテンツ情報を前記言語変換ルール記憶手段によって該当端末が使用する言語に変換して端末へ送信する事を特徴とする付記４記載のコンテンツ中継方法。
（付記６）　ネットワークと通信を行うための機能を備え、ネットワーク経由でサーバより取得したコンテンツ情報を端末装置に中継するコンテンツ中継装置であって、
端末より利用者識別情報を取得する利用者情報取得手段と、
サーバからコンテンツ情報を取得するコンテンツ情報取得手段と、
サーバと端末との中継処理を行う際の履歴情報を蓄積する履歴記憶手段と、
サーバと端末との中継処理を行う際に、その履歴情報を前記利用者情報取得手段が取得した利用者識別情報に関連させて前記履歴記憶手段に蓄積する履歴蓄積制御手段と、
前記コンテンツ情報取得手段がサーバから取得したコンテンツ情報に入力を示唆する情報が含まれていた場合、前記利用者取得情報取得手段によって取得された利用者識別情報と該コンテンツ情報に関する情報を基に前記履歴記憶手段に記憶されている入力履歴情報を抽出する抽出手段と、
前記抽出手段によって抽出された入力履歴情報を端末へ送信する送信手段と、
を備えた事を特徴とするコンテンツ中継装置。
（付記７）　前記送信手段は、前記抽出手段によって抽出された入力履歴情報とコンテンツ情報とを同一画面上に表示させるコンテンツ情報を作成し端末へ送信する事を特徴とする付記６記載のコンテンツ中継装置。
【００２４】
（付記８）　言語変換ルール記憶手段を有し、
前記送信手段は、前記抽出手段によって抽出された入力履歴情報と前記言語変換ルール記憶手段を参照して該当端末が使用する言語に変換したコンテンツ情報とを同一画面上に表示させるコンテンツ情報を作成し端末へ送信する事を特徴とする付記２記載のコンテンツ中継装置。
（付記９）　サーバと端末との中継処理を行う際の履歴情報を蓄積する履歴記憶手段とネットワークとの通信手段とを有し、前記通信手段によりネットワーク経由でサーバのコンテンツ情報を取得し端末装置へ中継するコンテンツ中継装置であって、
端末より利用者識別情報を取得する利用者情報取得手段と、
サーバからコンテンツ情報を取得するコンテンツ情報取得手段と、
サーバと端末との中継処理を行う際に、その履歴情報を前記利用者情報取得手段により取得した利用者識別情報に関連させて前記履歴記憶手段に蓄積する履歴蓄積ステップと、
前記コンテンツ取得手段により取得されたコンテンツ情報を端末へ送信する送信手段と、
前記送信手段の処理の後に端末からのコンテンツ情報の送信要求があると、前記利用者取得情報取得手段によって取得された利用者識別情報と該コンテンツ情報に関する情報を基に前記履歴記憶手段に記憶されているコンテンツ情報を抽出する抽出手段と、
前記抽出手段で抽出されたコンテンツ情報をメール送信するメール送信手段と、を有する事を特徴とするコンテンツ中継装置。
【００２５】
（付記１０）言語変換ルール記憶手段を有し、
前記送信手段は、前記コンテンツ取得手段により取得されたコンテンツ情報を、前記言語変換ルール記憶手段を参照して該当端末が使用する言語に変換し端末へ送信する事を特徴とする付記９記載のコンテンツ中継装置。
（付記１１）通信機能を備えたコンピュータを、
端末より利用者識別情報を取得する利用者情報取得手段と、
サーバからコンテンツ情報を取得するコンテンツ情報取得手段と、
サーバと端末との中継処理を行う際の履歴情報を蓄積する履歴記憶手段と、
サーバと端末との中継処理を行う際に、その履歴情報を前記利用者情報取得手段が取得した利用者識別情報に関連させて前記履歴記憶手段に蓄積する履歴蓄積制御手段と、
前記コンテンツ情報取得手段がサーバから取得したコンテンツ情報に入力を示唆する情報が含まれていた場合、前記利用者取得情報取得手段によって取得された利用者識別情報と該コンテンツ情報に関する情報を基に前記履歴記憶手段に記憶されている入力履歴情報を抽出する抽出手段と、
前記抽出手段によって抽出された入力履歴情報を端末へ送信する送信手段と、
して機能させるためのコンテンツ中継プログラム。
【００２６】
【発明の効果】
本発明は、中継サーバが、端末より利用者識別情報を取得し、サーバと端末との中継処理を行う際に、その履歴情報を前記利用者情報取得ステップにより取得した利用者識別情報に関連させて履歴情報として蓄積しておき、サーバから取得したコンテンツ情報に入力を示唆する情報が含まれていた場合、該利用者識別情報と取得したコンテンツ情報に関する情報を基に蓄積していた履歴情報のうち入力履歴情報を抽出し、端末へ送信する送信するようにしたものであり、端末がリクエストした過去の情報は中継サーバに蓄積され、この情報を基に過去の入力履歴を使った処理が行われるようになるため、端末で過去のコンテンツ情報の蓄積を行うことの難しい端末においても、過去の入力履歴を活用した入力を行う事が可能となる。
また、メールによりコンテンツ情報を送信しておく事で、過去通信を行ったもので何度も閲覧する必要のあるものに対し、その都度コンテンツ中継サーバを使った閲覧を行わなくともよくなる。
【図面の簡単な説明】
【図１】本発明のコンテンツ中継サーバを利用した、コンテンツシステムのシステム概要図
【図２】利用者端末５の構成図
【図３】利用者携帯端末７の構成図
【図４】最後にコンテンツ中継サーバ１１の構成図
【図５】利用者をコンテンツ中継サーバ１１に登録させる手順を示したフローチャート
【図６】利用者をコンテンツ中継サーバ１１に登録させる手順を示したフローチャート
【図７】利用者携帯端末７の表示手段７０４の表示画面を示した図
【図８】該利用者登録情報を利用者ＤＢ１１０３に記憶されている利用者登録テーブルを示した図
【図９】利用者携帯端末７の表示手段７０４の表示画面を示した図
【図１０】コンテンツ中継サーバ１１を経由した利用者携帯端末７とコンテンツ提供サーバＡ２との通信処理のフローチャート
【図１１】利用者携帯端末７の表示手段７０４の表示画面を示した図
【図１２】コンテンツ中継サーバ１１を経由した利用者携帯端末７とコンテンツ提供サーバＡ２との通信処理のフローチャート
【図１３】利用者携帯端末７の表示手段７０４の表示画面を示した図
【図１４】利用者携帯端末７のリクエスト情報９９の説明図
【図１５】コンテンツ中継サーバ１１を経由した利用者携帯端末７とコンテンツ提供サーバＡ２との通信処理のフローチャート
【図１６】コンテンツ中継サーバ１１を経由した利用者携帯端末７とコンテンツ提供サーバＡ２との通信処理のフローチャート
【図１７】フォルダテーブル１７０１の説明図
【図１８】利用者携帯端末７の表示手段７０４の表示画面を示した図
【図１９】利用者携帯端末７の表示手段７０４の表示画面を示した図
【図２０】コンテンツ中継サーバ１１を経由した利用者携帯端末７とコンテンツ提供サーバＡ２との通信処理のフローチャート
【図２１】利用者携帯端末７の表示手段７０４の表示画面を示した図
【図２２】利用者携帯端末７の表示手段７０４の表示画面を示した図
【図２３】コンテンツ中継サーバ１１を経由した利用者携帯端末７とコンテンツ提供サーバＡ２との通信処理のフローチャート
【図２４】利用者携帯端末７の表示手段７０４の表示画面を示した図
【図２５】コンテンツ中継サーバ１１によるコンテンツ情報送信処理のフローチャート
【図２６】利用者携帯端末７の表示手段７０４の表示画面を示した図
【図２７】コンテンツ中継サーバ１１によるコンテンツ情報送信処理のフローチャート
【図２８】利用者携帯端末７の表示手段７０４の表示画面を示した図
【符号の説明】
１　インターネット通信網
２　コンテンツ提供サーバＡ
３　コンテンツ提供サーバＢ
４　コンテンツ提供サーバＣ
５　利用者端末
６　プロバイダ
７　利用者携帯端末
８　無線中継局
９　無線通信網
１０　ＰＯＩ
１１　コンテンツ中継サーバ
１２　サーバ管理端末
【図１】
2004086562.tif 000003
【図２】
2004086562.tif 000004
【図３】
2004086562.tif 000005
【図４】
2004086562.tif 000006
【図５】
2004086562.tif 000007
【図６】
2004086562.tif 000008
【図７】
2004086562.tif 000009
【図８】
2004086562.tif 000010
【図９】
2004086562.tif 000011
【図１０】
2004086562.tif 000012
【図１１】
2004086562.tif 000013
【図１２】
2004086562.tif 000014
【図１３】
2004086562.tif 000015
【図１４】
2004086562.tif 000016
【図１５】
2004086562.tif 000017
【図１６】
2004086562.tif 000018
【図１７】
2004086562.tif 000019
【図１８】
2004086562.tif 000020
【図１９】
2004086562.tif 000021
【図２０】
2004086562.tif 000022
【図２１】
2004086562.tif 000023
【図２２】
2004086562.tif 000024
【図２３】
2004086562.tif 000025
【図２４】
2004086562.tif 000026
【図２５】
2004086562.tif 000027
【図２６】
2004086562.tif 000028
【図２７】
2004086562.tif 000029
【図２８】
2004086562.tif 000030